(57)【要約】【課題】小型のレンズ鏡胴や薄型化した電子カメラの光学系ユニットに撮像素子を取付けるに当って、撮像素子を保持させたプレ−トをねじ止めすることによって生ずる歪の影響を防止した撮像装置を提供すること。【解決手段】電子カメラの光学系収納部６１にはに光学系ユニットとしてズ−ミング駆動機構が収納してあり、そのズ−ミング駆動機構の後固定枠２８には、基準面２８ｂを形成すると共に、後固定枠面に対向させた板ばね１０５、１０６が設けてある。撮像素子であるＣＣＤは撮像ユニット９６として備え、そのプレ−ト１０２の両側張出部を後固定枠２８と板ばね１０５、１０６の間に差入れ、板ばね１０５、１０６の押圧力で基準面２８ｂに圧接させる。なお、このように組付けると、両側張出部の取付孔１０２ａに後固定枠２８の係合突部２８ｃが突入し、また、その取付溝１０２ｂに他方の係合突部２８ｃが係合して位置決めされる。【選択図】        図２３
2005026790.tif 000002
【特許請求の範囲】
【請求項１】
撮像素子と、前記撮像素子を保持する保持部材と、前記保持部材の位置決めを行う基準面を有する固定枠と、前記固定枠に配置した弾性部材と、を備え、
前記保持部材を前記弾性部材によって前記基準面に押圧することにより、前記撮像素子を前記固定枠に位置決め固定することを特徴とする撮像装置。
【請求項２】
ホルダ−と、マスクと、光学的にＬＰＦの特性を有するフィルタ−と、弾性を有するラバ−と、を更に備え、
前記撮像素子と、前記ラバ−と、前記フィルタ−と、前記マスクとを前記保持部材と前記ホルダ−により挟持することで、前記撮像素子を前記保持部材にて保持することを特徴とする請求項１に記載の撮像装置。
【請求項３】
前記撮像素子と電気的接続を行う基板を更に備え、
前記保持部材の後方に前記基板を配し、前記基板を前記撮像素子に半田付けすることにより前記基板を前記保持部材と一体化することを特徴とする請求項２に記載の撮像装置。
【請求項４】
前記保持部材の両側に各々設けた張出片部と、前記張出片部に各々設けた位置規制用の取付孔と、前記基準面近傍に前記取付孔に対応して設けた前記係止突部と、を更に備え、
前記弾性部材を前記係止突部に対応して設けた板バネにより構成し、前記取付孔を前記係止突部に係止すると共に前記張出片部を前記板バネにより押圧固定することにより、前記撮像素子を前記固定枠に位置決め固定することを特徴とする請求項１〜３のいずれかに記載した撮像装置。
【請求項５】
撮影レンズと、前記撮影レンズを保持する枠部と、撮像装置しと、前記撮像素子を保持する保持部材と、前記保持部材の位置決めを行う基準面を有する前記枠部の後端部に配置される固定枠と、前記固定枠に配置した弾性部材と、を備え、
前記保持部材を前記弾性部材によって前記基準面に押圧することにより、前記撮像素子を前記固定枠に位置決め固定することを特徴とするカメラ。
【請求項６】
ホルダ−と、マスクと、光学的にＬＰＦの特性を有するフィルタ−と、弾性を有するラバ−と、を更に備え、
前記撮像素子と、前記ラバ−と、前記フィルタ−と、前記マスクとを前記保持部材と前記ホルダ−により挟持することで、前記撮像素子を前記保持部材にて保持することを特徴とする請求項５に記載のカメラ。
【請求項７】
前記撮像素子と電気的接続を行う基板を更に備え、
前記保持部材の後方に前記基板を配し、前記基板を前記撮像素子に半田付けすることにより前記基板を前記保持部材と一体化することを特徴とする請求項６に記載のカメラ。
【請求項８】
前記保持部材の両側に各々設けた張出片部と、前記張出片部に各々設けた位置規制用の取付孔と、前記基準面近傍に前記取付孔に対応して設けた前記係止突部と、を更に備え、
前記弾性部材を前記係止突部に対応して設けた板バネにより構成し、前記取付孔を前記係止突部に係止すると共に前記張出片部を前記板バネにより押圧固定することにより、前記撮像素子を前記固定枠に位置決め固定することを特徴とする請求項５〜７のいずれかに記載したカメラ。
【発明の詳細な説明】
【０００１】
【発明の属する技術分野】
この発明は、電子カメラ等の光学機器に備える撮像装置及びカメラに関する。
【０００２】
【従来の技術】
撮影レンズの結像部に撮像素子を配置し、撮影素子が出力する被写体の撮影デ−タを記憶媒体に記憶させる、いわゆる電子カメラが広く知られているが、この種の電子カメラは、撮像素子がレンズ鏡筒の固定枠に取付けられている。（例えば、特許文献１参照）
【０００３】
具体的には、撮影レンズの結像部周囲となる固定枠部所に基準面が形成してある。
また、撮像素子は接着剤を使って金属プレ−トに固着してある。
【０００４】
この金属プレ−トには撮像素子の両サイドに張り出すようにした舌片部が設けてあり、その舌片部を上記した基準面に対接させ、また、舌片部を固定枠にねじ止する構成となっている。
撮像素子はこのような取付け構成によってレンズ鏡胴に取付けられている電子カメラが多い。
【０００５】
【特許文献１】
特開平２−７１６７８号公報
【０００６】
【発明が解決しようとする課題】
ねじ止によって撮像素子を取付ける構成は取付けが確実となる点で有利であるが、小型化したレンズ鏡胴ではねじ止による歪が生ずることがあるため、その影響が機械的な構成や光学系に表われると言う問題がある。
【０００７】
本発明は上記した実情にかんがみ、小型のレンズ鏡胴や薄型化した電子カメラの光学系ユニット等であっても取付けの問題が機械的に、また光学的に影響しない撮像装置及びカメラを提供することを目的とする。
【０００８】
【課題を解決するための手段】
上記した目的を達成するため、本発明では、第１の発明として、撮像素子と、前記撮像素子を保持する保持部材と、前記保持部材の位置決めを行う基準面を有する固定枠と、前記固定枠に配置した弾性部材と、を備え、前記保持部材を前記弾性部材によって前記基準面に押圧することにより、前記撮像素子を前記固定枠に位置決め固定することを特徴とする撮像装置を提案する。
【０００９】
この撮像装置は、弾性部材による弾性力によって撮像素子の保持部材を押圧し、保持部材がその押圧力を受けて基準面に対接する。
この結果、撮像素子の保持部材が基準面と弾性部材とによって挟持保持されるため、撮像素子が撮影レンズの結像位置に正しく取付けられる。
【００１０】
第２の発明は、上記した第１の発明の撮像装置において、ホルダ−と、マスクと、光学的にＬＰＦの特性を有するフィルタ−と、弾性を有するラバ−と、を更に備え、前記撮像素子と、前記ラバ−と、前記フィルタ−と、前記マスクとを前記保持部材と前記ホルダ−により挟持することで、前記撮像素子を前記保持部材にて保持することを特徴とする撮像装置を提案する。
【００１１】
この撮像装置は、撮像素子がラバ−を介在させて挟持されているので、撮像素子、フィルタ−、マスクがラバ−の弾性力を受けて密接するため、撮像素子の受光面に対する塵の侵入を防止することができる。
【００１２】
第３の発明は、上記した第２の発明の撮像装置において、前記撮像素子と電気的接続を行う基板を更に備え、前記保持部材の後方に前記基板を配し、前記基板を前記撮像素子に半田付けすることにより前記基板を前記保持部材と一体化することを特徴とする撮像装置を提案する。
この撮像装置は、基板を取付けて撮像ユニットとして構成してある。
【００１３】
第４の発明は、上記した第１〜第３の発明のいずれかに記載した撮像装置において、前記保持部材の両側に各々設けた張出片部と、前記張出片部に各々設けた位置規制用の取付孔と、前記基準面近傍に前記取付孔に対応して設けた前記係止突部と、を更に備え、前記弾性部材を前記係止突部に対応して設けた板バネにより構成し、前記取付孔を前記係止突部に係止すると共に前記張出片部を前記板バネにより押圧固定することにより、前記撮像素子を前記固定枠に位置決め固定することを特徴とする撮像装置。
【００１４】
この第４の発明の撮像装置は、固定枠に設けた係止突部を保持部材の張出片部に設けた取付孔に突入させて撮像素子を位置決めし、また、前記張出片部を板バネによって押圧して固定するようになっている。
【００１５】
第５の発明は、撮影レンズと、前記撮影レンズを保持する枠部と、撮像装置しと、前記撮像素子を保持する保持部材と、前記保持部材の位置決めを行う基準面を有する前記枠部の後端部に配置される固定枠と、前記固定枠に配置した弾性部材と、を備え、前記保持部材を前記弾性部材によって前記基準面に押圧することにより、前記撮像素子を前記固定枠に位置決め固定することを特徴とするカメラを提案する。
【００１６】
この第５の発明のカメラは、撮像素子の保持部材をねじ止しないので、ねじ止によって生ずる機械的、光学的な問題がない。
【００１７】
第６の発明は、上記した第５の発明のカメラにおいて、ホルダ−と、マスクと、光学的にＬＰＦの特性を有するフィルタ−と、弾性を有するラバ−と、を更に備え、前記撮像素子と、前記ラバ−と、前記フィルタ−と、前記マスクとを前記保持部材と前記ホルダ−により挟持することで、前記撮像素子を前記保持部材にて保持することを特徴とするカメラを提案する。
【００１８】
第７の発明は、上記した第６の発明のカメラにおいて、前記撮像素子と電気的接続を行う基板を更に備え、前記保持部材の後方に前記基板を配し、前記基板を前記撮像素子に半田付けすることにより前記基板を前記保持部材と一体化することを特徴とするカメラを提案する。
【００１９】
第８の発明は、上記した第５〜第７の発明のいずれかのカメラにおいて、前記保持部材の両側に各々設けた張出片部と、前記張出片部に各々設けた位置規制用の取付孔と、前記基準面近傍に前記取付孔に対応して設けた前記係止突部と、を更に備え、前記弾性部材を前記係止突部に対応して設けた板バネにより構成し、前記取付孔を前記係止突部に係止すると共に前記張出片部を前記板バネにより押圧固定することにより、前記撮像素子を前記固定枠に位置決め固定することを特徴とするカメラを提案する。
【００２０】
【発明の実施の形態】
次に、本発明を電子カメラに実施した第１の実施形態について図面に沿って説明する。
図１は撮影レンズのズ−ミング駆動機構２０を示す斜視図、図２は同ズ−ミング駆動機構２０の正面図である。
【００２１】
これらの図面において、２１は第１レンズ群、２２は第２レンズ群を示し、これら第１、第２レンズ群２１、２２はそれらのレンズ枠２１ａに設けたボス２１ｂと、レンズ枠２２ａに設けたボス２２ｂとにガイド軸２３を摺動自在に軸挿させ、第１、第２レンズ群２１、２２をガイド軸２３によって支持させてある。
また、ボス２１ｂ、２２ｂとは反対となるレンズ枠２１ａ、２２ａの位置には孔部（図示省略）を設け、これらの孔部に摺動杆２４を摺動自在に軸挿させ、第１、第２レンズ群２１、２２の回り止めを行なう構成としてある。
【００２２】
さらに、上記のボス２１ｂに突出形成した第１レンズ群２１のカムピン（カム溝挿入部材）２１ｃとボス２２ｂに突出形成した第２レンズ群２２のカムピン（カム溝挿入部材）２２ｃとがズ−ム用カム２５のカム溝に挿入させてあり、第１、第２レンズ群２１、２２をズ−ム用カム２５の回転にしたがって光軸方向にカム送りする。（図３参照）
なお、ズ−ム用カム２５はズ−ム用モ−タ２６によって回転駆動される。
【００２３】
上記したガイド軸２３と摺動杆２４の一端側は前固定枠２７に、他端側は後固定枠２８に各々固着してあり、ズ−ム用カム２５は前固定枠２７の軸受部２７ａと、後固定枠２８に固着された支持固定枠２９の軸受部２９ａ（図６参照）とによって回転自在に支持してある。
【００２４】
なお、前固定枠２７と後固定枠２８とには被写体像光を通過させる窓孔２７ｂ、２８ａを形成し、さらに、後固定枠２８の窓孔直後にはＣＣＤ（固体撮像素子）３０が組込んである。（図１、図３参照）
【００２５】
他方、図１に示す第３レンズ群３１はフォ−カス用レンズで、そのレンズ枠３１ａに設けたボス３１ｂにはガイド軸２３を軸挿させてこの第３レンズ群３１を支持させてある。
第３レンズ群３１は、レンズ枠３１ａの一部に設けたナットねじ３２がフォ−カス用モ−タ３３によって回転駆動されるリ−ドスクリュ３４によってねじ送りされることで、光軸方向に進退移動する。
【００２６】
その他、図１に示す参照符号３５はレンズ枠２２ａに取付けたシャッタユニット、３６はカバ−板、３７はカバ−板に取付けたズ−ム用フォトインタラプタ、３８はフォ−カス用フォトインタラプタ、３９は第３レンズ群３１のガタ防止用のスプリングであり、ボス３１ｂを一方向に付勢することにより、リ−ドスクリュ３４とナット３２等のガタを吸収する。
ズ−ム用フォトインタラプタ３７はズ−ミングの初期位置を検出し、フォ−カス用フォトインタラプタ３８はフォ−カシングの初期位置を検出する。
【００２７】
上記のように構成した撮影レンズのズ−ミング駆動機構２０は、ズ−ム用モ−タ２６によりズ−ム用カム２５を回転駆動することで、第１、第２レンズ群２１、２２がガイド軸２３に沿って移動してズ−ミングが行なわれ、また、フォ−カス用モ−タ３３によりリ−ドスクリュ３４を回転駆動することで、ナットねじ３２がねじ送りされ、第３レンズ群３１が移動してフォ−カシングが行なわれる。
なお、第３レンズ群３１はズ−ミング時にも移動するようになっている。
【００２８】
一方、上記したズ−ミング駆動機構２０にカム装置として備えているズ−ム用カム２５について、図３、図４、図５を参照して説明する。
図３は、第３レンズ群３１、フォ−カス用モ−タ３３、シャッタユニット３５、カバ−板３６などを取り外して示した図１同様のズ−ミング駆動機構２０の斜視図、図４はズ−ム用カム２５の斜視図、図５はズ−ム用カムの分解斜視図である。
【００２９】
図示するように、ズ−ム用カム２５は、第１カム溝４０と第２カム溝４１を有する円筒形カムで、円筒状のカム基体２５１と、このカム基体２５１の両側に摺動自在に嵌合させる円筒状のカム枠２５２、２５３と、これらカム枠２５２、２５３を近づく方向に押圧する引張り勢力のコイルばね２５４とより構成してある。
【００３０】
カム基体２５１は、その胴部２５１ａ両側を細径状とした摺動部２５１ｂ、２５１ｃを設け、胴部２５１ａと摺動部２５１ｂとの間の段部を第１カム溝４０を形成するための一側カム面４０ａとして形成し、胴部２５１ａと摺動部２５１ｃとの間の段部を第２カム溝４１を形成するための一側カム面４１ａとして形成してある。
【００３１】
また、カム基体２５１には、両側端から筒軸方向に沿って形成した長形孔２５１ｄ、２５１ｅを設け、これらの長形孔２５１ｄ、２５１ｅに、カム枠２５２、２５３の突片部２５２ａ、２５３ａを摺動自在に嵌合させるようにして、カム枠２５２、２５３をカム基体２５１と一体的に回転させるようにしてある。
なお、カム基体２５１の胴部２５１ａに形成した孔部２５１ｆはコイルばね２５４を取付けるためのものであり、また、摺動部２５１ｂ、２５１ｃの端部に形成した段差部２５１ｇ、２５１ｈは、カム枠２５２、２５３の移動を規制するものである。
【００３２】
他方、カム枠２５２は、一端円周部を第１カム溝４０の他側カム面４０ｂとして形成してあり、また、その他端には内向きのフランジ２５２ｂが形成してある。
さらに、このカム枠２５２には、上記した突片部２５２ａより筒内に突出させたばね掛け部２５２ｃが設けてある。
【００３３】
カム枠２５３は、一端円周部を第２カム溝４１の他側カム面４１ｂとして形成してあり、また、その他端には内向きのフランジ２５３ｂが形成してある。
さらに、このカム枠２５３には、上記した突片部２５３ａより筒内に突出させたばね掛け部２５３ｃが設けてある。
【００３４】
上記のように形成したカム基体２５１、カム枠２５２、２５３は、カム枠２５２をカム基体２５１の摺動部２５１ｂに嵌合し、カム枠２５３を摺動部２５１ｃに嵌合させた後、コイルばね２５４の一端部をカム枠２５２のばね掛け部２５２ｃに、その他端部をカム枠２５３のばね掛け部２５３ｃに各々係止する。
【００３５】
コイルばね２５４はカム枠２５２、２５３を近づける方向に押圧するため、カム枠２５２が摺動部２５１ｂを摺動し、そのフランジ部２５２ｂがカム基体２５１の段差部２５１ｇに突き当るまで進み、この状態で一側カム面４０ａと他側カム面４０ｂとによって第１カム溝４０が形成される。
【００３６】
同様に、カム枠２５３が摺動部２５１ｃを摺動し、そのフランジ部２５３ｂが段差部２５１ｈに突き当り、この状態で一側カム面４１ａと他側カム面４１ｂとによって第２カム溝４１が形成される。
このように形成されたカム溝４０、４１は、ズ−ミングに必要な第１、第２レンズ群２１、２２の移動に合せた螺旋状カム溝として形成することができる。
【００３７】
上記のように構成したズ−ム用カム２５は、図３に示した如く、第１カム溝４０に第１レンズ群２１のカムピン２１ｃを挿入（突入）させ、第２カム溝４１に第２レンズ群２２のカムピン２２ｃを挿入（突入）させる。
このように、カムピン２１ｃ、２２ｃを挿入すると、カム枠２５２のフランジ部２５２ｂが段形部２５１ｇより僅か後退し、同様にカム枠２５３のフランジ部２５３ｂも段形部２５１ｈより僅か後退するようになる。
【００３８】
したがって、カムピン２１ｃがカム枠２５２のカム面４０ｂに押圧され、カムピン２２ｃがカム枠２５３のカム面４１ｂによって押圧されるため、これらカムピン２１ｃ、２２ｃがカム溝４０、４１の全域において一定の圧接力でカム面に当接するようになる。
【００３９】
また、カムピン２１ｃ、２２ｃのカム面に対する圧接力はコイルばね２５４の引張り勢力によって決めることができるから、コイルばね２５４として適度の引張り勢力を有するものを選べばカムピン２１ｃ、２２ｃを最適な圧接力とすることができる。
【００４０】
したがって、ズ−ム用カム２５は一定のモ−タ駆動力で回転させることができ、また、第１、第２レンズ群２１、２２の移動駆動もスム−ズに行なうことができる。
この結果、ズ−ム用カム２５が変動の少ない軽負荷のカム装置となるので、ズ−ム用モ−タ２６としては電力消費の少ない小型モ−タを使用することができる。
【００４１】
図６は図２上のＡ−Ａ線で切断し、ズ−ム用カム２５の断面とその駆動系を示した断面図である。
図示する如く、ズ−ム用カム２５の後端側には内歯車４２が設けてあり、この内歯車４２の突出部４２ａがカム基体２５１の内孔に突入し、また、その突出部４２ａの周囲部に設けたキ−４２ｂがカム基体２５１の内孔部に形成したキ−溝２５１ｉに嵌合している。
これより、ズ−ム用カム２５が内歯車４２と一体的に回転する。
【００４２】
また、内歯車４２は支持固定枠２９に設けた軸受部２９ａに回転自在に支持され、さらに、この内歯車４２には連動小歯車４３が噛合している。
この連動小歯車４３は減速装置４４を介してズ−ム用モ−タ２６によって回転駆動するもので、内歯車４２を回転し、ズ−ム用カム２５を回転させる。
【００４３】
上記のように実施する撮影レンズのズ−ミング駆動機構２０は、カムピン２１ｃ、２２ｃが第１、第２カム溝４０、４１の全域で一定の圧接力となるズ−ム用カム２５となる他に、このズ−ム用カム２５と同心線上にズ−ム用モ−タ２６を配設したので、カメラの横方向の幅（図２において左右方向の幅）を短縮することができ、さらに、変倍用の第１、第２レンズ群２１、２２とフォ−カス用の第３レンズ群３１とを同一のガイド軸２３によって支持させて移動させる構成としたので、レンズ群の偏心、倒れが生じにくいものとなる。
【００４４】
図７は第２実施形態として示したズ−ミング駆動機構５０を示す。
このズ−ミング駆動機構５０は、カム枠２５２、２５３に形成した他側カム面４０ｂ、４１ｂを所定の角度で傾斜させたことが特徴となっており、その他は図１〜図６に示したズ−ミング駆動機構２０と同構成となっている。
なお、図７は図２上のＢ−Ｂ線に沿った断面図に相当する。
図８は第１、第２カム溝４０、４１とカムピン２１ｃ、２２ｃとの構成部分を拡大して示す断面図であり、この図より分かる通り、第１、第２カム枠２５２、２５３の他側カム面４０ｂ、４１ｂは、枠外周面に向かって昇り勾配とした傾斜のカム面として形成してある。
【００４５】
他側カム面４０ｂ、４１ｂをこのように傾斜面とすることにより、カムピン２１ｃ、２２ｃが図示Ｆ１方向の押動力を受ける。
すなわち、第１、第２カム枠２５２、２５３にはコイルばね２５４によって図示Ｆ２方向のばね勢力が作用することから、他側カム面４０ｂ、４１ｂの傾斜面により押動されるカムピン２１ｃ、２２ｃが、一側カム面４０ａ、４１ａに圧接する力の他に、カム溝の回転軸線に対して直交する方向となる押動力Ｆ１を受ける。
【００４６】
カムピン２１ｃ、２２ｃに作用する上記の押動力Ｆ１は、ボス２１ｂ、２２ｂの支軸孔２１ｄ、２２ｄ（図８参照）の孔面部をガイド軸２３に当接させるように働き、これによって支軸孔２１ｄ、２２ｄとガイド軸２３との機械的遊びが吸収されるようになる。
【００４７】
上記のように構成したズ−ム用カム２５は、カムピン２１ｃ、２２ｃが第１、第２カム溝４０、４１の全域で一定の圧接力で当接し、これらカムピン２１ｃ、２２ｃをズ−ム用カム２５の回転にしたがってカム溝の回転軸線方向（図７、図８において左右方向）に移動駆動し、第１、第２レンズ群２１、２２をガイド軸２３に沿って移動させる。
【００４８】
また、上記したようにボス２１ｂ、２２ｂが機械的遊びがなくガイド軸２３を摺動することから、第１、第２レンズ群２１、２２に傾きや偏心が生じない。
この結果、ズ−ミング精度を高めることができるズ−ム用カム２５（カム装置）を備えたズ−ミング駆動機構となる。
【００４９】
図９（Ａ）、（Ｂ）、（Ｃ）は、第１、第２カム溝４０、４１のカム面傾斜位置を変えた他の実施形態を示す図８同様の断面図である。
図９（Ａ）は、第１、第２カム溝４０、４１の一側カム面４０ａ、４１ａを傾斜形成した実施形態、図９（Ｂ）は、第１、第２カム溝４０、４１の一側カム面４０ａ、４１ａと他側カム面４０ｂ、４１ｂとの両カム面を傾斜形成した実施形態、図９（Ｃ）は、第１、第２カム溝４０、４１の他側カム面４０ｂ、４１ｂとカムピン２１ｃ、２２ｃとを傾斜形成した実施形態である。
【００５０】
このように構成してもカムピン２１ｃ、２２ｃには押動力Ｆ１が作用するから、図８に示す実施形態と同様にボス２１ｂ、２２ｂとガイド軸２３との機械的遊びを吸収することができ、第１、第２レンズ群２１、２２の傾きや偏心を防止することができる。
また、図９（Ｂ）に示した構成のように両カム面を傾斜形成することにより、一方のカム面を傾斜形成したものに比べよりスム−ズなズ−ム機構動作を実現することができる。
なお、図８、図９（Ａ）、（Ｂ）に示す実施形態においても、カム面に当接するカムピン２１ｃ、２２ｃの当接部を傾斜形成してもよい。
【００５１】
図１０は、上記したズ−ミング駆動機構５０において、ズ−ム用カム２５の軸受けガタを吸収するために、前固定枠２７の軸受部２７ａにコイルばね４５を設けた実施形態を示す。
このコイルばね４５は、ズ−ム用カム２５を一方向に押圧してズ−ム用カム２５の回転軸方向の働きを防止し、第１、第２レンズ群２１、２２の移動位置精度を高めるものである。
【００５２】
図１１は、前固定枠２７の軸受部２７ａに一つのコイルばね４６を設け、このコイルばね４６によって第１、第２カム枠２５２、２５３を押圧すると共に、ズ−ム用カム２５の軸受けガタを吸収する実施形態を示す。
【００５３】
この実施形態は、第１のカム枠２５２を押圧することで、カムピン２１ｃを介してカム基体２５１を押圧し、また、カムピン２２ｃを介して第２のカム枠２５３を一方向に押圧する構成としてある。
このように構成することにより、第１、第２カム枠２５２、２５３に係架したコイルばね２５４が不要となる。
【００５４】
図１２〜図１４は上記したところのズ−ミング駆動機構２０、５０と同様のズ−ミング駆動機構を鏡筒を具備せずに備えた鏡筒レスの電子カメラ（デジタルカメラ）の一例を示す。
なお、図１２はカメラ平面図、図１３はカメラ正面図、図１４はカメラ背面図である。
【００５５】
図示するように、この電子カメラは正面から見て、横幅、縦幅を広く奥行き幅を狭くした薄型のカメラ形態となっている。
また、この電子カメラは、コントロ−ラ、メモリカ−ド、演算部、メモリカ−ド収納部などを備えたカメラ本体部６０と撮影レンズなどを備えた光学系収納部６１とを別体のボックス状体として構成してある。
そして、カメラ本体部６０と光学系収納部６１は連結部６２によって適度の節度をもって回転できるように連結してある。
【００５６】
なお、図示するように、カメラ本体部６０の上面には、シャッタボタン６３、電源スイッチ６４を設け、また、カメラ本体部６０の背面には、液晶モニタ６５、選択・決定ボタン６６、ズ−ムボタン６７、モ−ド選択ボタン６８などが設けてあり、更に、図示しないカメラ本体部６０には、ＣＰＵを含む各種回路基板、電源を供給するバッテリ−、メモリカ−ド収納部が収納してある。
さらに、光学系収納部６１の上面には、撮影レンズ窓６９とフラッシュユニットの発光窓７０などが設けてあり、内部にはズ−ミング駆動部２０、５０、９０、後述するフラッシュユニット８０を遮光して収納してある。
このように、カメラ本体部６０には、表示部、操作部、バッテリ−、メモリカ−ド収納部、回路基板を集約して配置すると共に、光学系収納部６１には、光学機構、フラッシュユニット８０を集約して配置することにより、カメラ全体の薄型化を実現している。
【００５７】
上記した電子カメラは極く薄形のカメラ形態であることから携帯に便利である。
一方、撮影する場合には、図１５に一例として示したように、撮影レンズ窓６９が正面を向くように光学系収納部６１を回転させる。
この状態でカメラ本体部６０を手で握りシャッタレリ−ズすることができるので、カメラ振れの極めて少ないカメラとなる。
また、図１５とは逆側に光学系収納部６１を回転させ、液晶モニタ６５と同方向を撮影することもできる。
【００５８】
図１６はリアケ−ス（カメラケ−ス）を取り外して内部構成を示した上記光学系収納部６１の斜視図、図１７はその光学系収納部６１の横断面図、図１８は当該光学系収納部６１の分解斜視図である。
これらの図面から分かるように、光学系収納部６１は、フラッシュユニット８０と撮影レンズのズ−ミング駆動機構（光学系ユニット）９０とを箱状のフロントケ−ス（カメラケ−ス）７１内に組付け鏡筒を具備しない鏡筒レスとし、上記ユニット等を遮光して収納する。
よって、光学系収納部６１は薄型に形成した光学系ユニットの高さ寸法により規制される厚さに抑えられ、カメラの薄型化を実現できる構成となっている。
【００５９】
フラッシュユニット８０は、発光窓７０内に配設した発光部８１、フロントケ−ス７１内の最奥部であって、光学系ユニットの後方に隣接配置したメインコンデンサ８２、フロントケ−ス７１内の光学系ユニット側部に隣接配設した配線基板８３などから構成してある。
【００６０】
また、ズ−ミング駆動機構９０は、小ねじ９１によってフロントケ−ス７１内にねじ止めして配置してあり、撮影レンズ窓６９から第１、第２、第３レンズ群２１、２２、３１からなる撮像光学系に撮影像光が入光するようになっている。
なお、このズ−ミング駆動機構９０には半田屑や塵などの侵入を防ぐカバ−９２が設けてある。
【００６１】
上記のように、フラッシュユニット８０とズ−ミング駆動機構９０を組付けたフロントケ−ス７１にはリアケ−ス７２をねじ止めする。
具体的には図１８に示した如く、リアケ−ス７２の一方側にフロントケ−ス７１から差し入れる小ねじ９３によってねじ止めし、また、リアケ−ス７２の他方側は連結部６２の一方舌片６２ａによってねじ止めする。
【００６２】
すなわち、連結部６２の一方舌片６２ａをフロントケ−ス７１とリアケ−ス７２とに小ねじ７３によって止着しこれらケ−ス７１、７２を一体的に固着する。
なお、連結部６２の他方舌片６２ｂはカメラ本体部６０のケ−スにねじ止めするもので、その管状部６２ｃによってカメラ本体部６０と光学系収納部６１と回転自在に連結すると共に、これらの間の電気配線を行なうようになっている。
その他、図１８に示した９４はカム押動ピン、９５はカムスプリング、９６は撮像ユニットであるが、これらについては後述する。
【００６３】
上記のように構成した光学系収納部６１は、特にレンズ鏡筒を設ける必要がなく、レンズ口径に合せた奥行幅とすることができるので、極薄型の電子カメラに適するものとなる。
【００６４】
図１９は上記したズ−ミング駆動機構（光学系ユニット）９０の斜視図である。
このズ−ミング駆動機構９０は既に述べたところのズ−ミング駆動機構２０、５０と同様の構成となっているが、ただ、このズ−ミング駆動機構９０はズ−ム用カム２５を撮影レンズ群の左側に配設し、また、ズ−ム用モ−タ２６は前側に、フォ−カス用モ−タ３３は後側に各々配設してある。
前述の図１等の実施形態と異なり、このようにズ−ム用モ−タ２６とフォ−カス用モ−タ３３とを前側と後側に分けて配設することにより、２つのモ−タを重ねて配置するものと比べより薄型化が図られる。
また、２つのモ−タ間の電磁的干渉も防ぐことができる。
【００６５】
また、ズ−ム用カム２５については図２０に示すように、２つの筒状基体３５１、３５２からカム基体２５１が構成してある。
具体的には、筒状基体３５１の挿入杆部３５１ａを筒状基体３５２内に挿入し、筒状基体３５２の孔部３５２ａから差し入れた偏心ピン７４を挿入杆部３５１ａのピン孔３５１ｂに嵌着してこれら筒状基体３５１、３５２を一体的に連結する。
【００６６】
すなわち、偏心ピン７４を回動させて挿入杆部３５１ａの挿入深さを調整して筒状基体３５１に形成した一側カム面４０ａと筒状基体３５２に形成した一側カム面４１ａとの間の距離を微調整する。
なお、一側カム面４０ａ、４１ａがカム枠２５２、２５３の他側カム面４０ｂ、４１ｂとで第１、第２カム溝４０、４１を形成することは既に述べたところである。
【００６７】
一方、このズ−ム用カム２５のカム枠２５２には、ピン受片部２５２ｅが内部に向かって突出形成してあり、このピン受片部２５２ｅが筒状基体３５１の長孔３５１ｃ内を摺動するようにしてある。
そして、このピン受片部２５２ｅをカム押動ピン９４によって押動してカム枠２５２、２５３とカム基体２５１を一方向に押動する。
【００６８】
図１７に示してあるように、カム押動ピン９４は前固定枠２７の孔部２７ｃより挿入し、その先端をピン受片部２５２ｅに当接させ、また、このカム押動ピン９４は上記の孔部２７ｃに内装させたカムスプリング９５によって押動勢力が与えてある。
なお、カム押動ピン９４とカムスプリング９５は発光部８１から張出させた板部によって抜け止めするようにしてある。
【００６９】
上記したズ−ム用カム２５において、カム枠２５３はその内部に設けたキ−凸部を筒状基体３５２のキ−溝３５２ｂに嵌合させることで筒状基体３５２と一体回転するようにしてある。
また、このカム枠２５３には連動歯車７５を設け、この連動歯車７５を減速装置４４を介してモ−タ駆動する。
【００７０】
このズ−ミング駆動機構９０の減速装置４４は図２１に示すように、前歯車群と後歯車群とで構成してある。
前歯車群は、ズ−ム用モ−タ２６のピニオン４４ａに大径歯車部を噛合させた歯車４４ｂと、この歯車４４ｂの小径歯車部を噛合させた歯車４４ｃとから構成してある。
なお、歯車４４ｃは回転杆４４ｄの前端に設けてあり、この回転杆４４ｄを介して後歯車群を連動する。
【００７１】
後歯車群は、回転杆４４ｄの後端に設けた歯車４４ｅと、この歯車４４ｅに大径歯車部を噛合させた歯車４４ｆと、この歯車４４ｆの小径歯車部に大径歯車部を噛合させた歯車４４ｇとから構成してあり、歯車４４ｇの小径歯車部にカム枠２５３の連動歯車７５が噛合している。
【００７２】
このように前歯車群と後歯車群とに分けることによって減速歯車の配置部所が２分されるため、撮影レンズ径に合せた減速装置４４となり、光学系吸収部６１の薄型化に適するようになる。
より詳しく説明すると、減速歯車を一ケ所にまとめて配置しようとすると、充分な減速比を確保するには、ズ−ム機構のズ−ム方向に減速歯車を延在して配置しなければならず、ズ−ム機構が長くなり小型化をはばむことになる。
また、長さを変えずに充分な減速比を確保するには、歯車を大径化しなければならず、撮影レンズ径に合せた減速装置を実現できず、薄型化を阻止してしまう。
【００７３】
図２２は撮像ユニット９６の分解斜視図である。
この撮像ユニット９６は、ホルダ−９７、マスク９８、フィルタ−（ＬＰＦ）９９、ラバ−１００、ＣＣＤ（撮像素子）１０１、プレ−ト（保持部材）１０２、配線基板１０３とから構成してある。
具体的には、ホルダ−９７とプレ−ト１０２の間にマスク９８、フィルタ−９９、ラバ−１００、ＣＣＤ１０１を挟むようにしてホルダ−９７をプレ−ト１０２に小ねじ１０４によってねじ止めして一体的なユニット構成とし、その後、ＣＣＤ１０１を配線基板１０３に電気接続してこの配線基板１０３を取付ける。
【００７４】
このように構成した撮像ユニット９６は、図２３、図２４に示してあるように、ズ−ミング駆動機構９０の後固定枠２８に取付ける。
具体的には、後固定枠２８には基準面２８ｂと係止突部２８ｃとが設けてあり、また、この後固定枠２８には撮像ユニット９６を挟持する板ばね（弾性部材）１０５、１０６が取付けてある。
なお、基準面２８ｂは撮影レンズ（第１、第２、第３レンズ群）の結像部周囲となる固定枠部所に形成してある。
また、板ばね１０５、１０６はフロントケ−ス７１に設けるようにすることもできる。
【００７５】
したがって、プレ−ト１０２の両側張出片部を基準面２８ｂと板ばね１０５、１０６との間に差し入れると、プレ−ト１０２の取付孔１０２ａに一方の係止突部２８ｃが突入し、プレ−ト１０２の取付け溝１０２ｂに他方の係止突部２８ｃが係合し、また、２つの板ばね（弾性部材）１０５、１０６の弾性押圧力によってプレ−ト１０２の張出片部が基準面２８ｂに圧接し、撮像ユニット９６が取付けられる。
【００７６】
なお、図２３、図２４は説明の便宜上、配線基板１０３を取り外した状態を示しているが、実際には図２５に示したように撮像ユニット９６が取付けられる。
【００７７】
上記のように取付ける撮影ユニット９６は、板ばね１０５、１０６によって弾性的に挟持して取付固定するから、取付固定枠にねじ止めによる歪が生ずることがない。
これより、ズ−ミング駆動機構９０には機械的にも、光学的にも歪みの影響がなくＣＣＤ（撮像素子）１０１の取付けができる。
【００７８】
また、後固定枠２８の一方の係止突部２８ｃをプレ−ト１０２の取付孔１０２ａに突入させ、その他方の係止突部２８ｃをプレ−ト１０２の取付け溝１０２ｂにケ係合させてＣＣＤ１０１の位置決めを行なうが、他方の係止突部２８ｃを係合させる取付け溝１０２ｂを切り込み形状の溝として形成してあるので、部品のバラツキや取付けのバラツキに対しても充分に対応して取付けることができる。
【００７９】
さらに、撮像ユニット９６は、ホルダ−９７をプレ−ト１０２とねじ止めしてマスク９８、フィルタ−９９、ラバ−１００、ＣＣＤ１０１を挟持する構成としてある。
このことから、それらの各部品（９７〜１０２）がラバ−１００の弾性力によって密接することから、ＣＣＤ１０１の受光面に侵入する塵などを確実に防ぐことができるものとなる。
この結果、撮像ユニット９６の保管と管理がし易く、また、取付けなどにおける取り扱いが容易なものとなる。
【００８０】
【発明の効果】
上記した通り、本発明に係る撮像装置及びカメラは、撮像素子の保持部材に弾性部材の押圧力を与え、この押圧力で保持部材を基準面に圧接させる構成としたので、保持部材が基準面と弾性部材とによって挟持され撮像素子が取付けられる。
この結果、光学系ユニットには機械的にも光学的にも影響を与えることなく撮像素子の取付けができる。
【図面の簡単な説明】
【図１】カム装置をズ−ム用カムとして備える電子カメラのズ−ミング駆動機構の第１実施形態を示す斜視図である。
【図２】上記ズ−ミング駆動機構の正面図である。
【図３】ズ−ム用カムの構成部を示した図１同様のズ−ミング駆動機構の斜視図である。
【図４】ズ−ム用カムの斜視図である。
【図５】ズ−ム用カムの分解斜視図である。
【図６】図２上のＡ−Ａ線断面図である。
【図７】カム装置をズ−ム用カムとして備える電子カメラのズ−ミング駆動機構の第２実施形態を示す断面図である。
【図８】カム溝とカムピンの構成部を示す拡大部分断面図である。
【図９】（Ａ）、（Ｂ）、（Ｃ）は他の実施形態を示す図８同様の拡大部分断面図である。
【図１０】ズ−ム用カムの軸受部に生ずる機械的遊びを吸収するコイルばねを設けた実施形態を示す図７同様の断面図である。
【図１１】一つのコイルばねによってカムピンの圧接力を得る一方、ズ−ム用カムの軸受部に生ずる機械的遊びを防ぐようにした実施形態を示す図７同様の断面図である。
【図１２】上記したズ−ミング駆動機構を備える電子カメラの一例として示したカメラ平面図である。
【図１３】図１２に示す電子カメラのカメラ正面図である。
【図１４】図１２に示す電子カメラのカメラ背面図である。
【図１５】図１２に示す電子カメラの撮影状態の一例を示すカメラ正面図ある。
【図１６】図１２に示す電子カメラの光学系吸収部をリアケ−スを取外して示した斜視図である。
【図１７】上記した光学系吸収部の横断面図である。
【図１８】上記した光学系吸収部の分解斜視図である。
【図１９】上記した光学系吸収部に備えたズ−ミング駆動機構を示す斜視図である。
【図２０】図１９に示したズ−ミング駆動機構に備えたズ−ム用カムを示す分解斜視図である。
【図２１】図１９に示したズ−ミング駆動機構に備えた減速装置を示す斜視図である。
【図２２】図１９に示したズ−ミング駆動機構に備えた撮像ユニットを示す分解斜視図である。
【図２３】撮像ユニットと、撮像ユニットの組付け構成を示す光学系収納部の斜視図である。
【図２４】撮像ユニットを組込んだ状態を示す光学系収納部の斜視図である。
【図２５】撮像ユニットが配線基板と共に実際に組付けられた状態を示す光学系収納部の斜視図である。
【符号の説明】
２０  ズ−ミング駆動機構
２１  第１レンズ群
２１ｃ  カムピン
２２  第２レンズ群
２２ｃ  カムピン
２３  ガイド軸
２５  ズ−ム用カム
２６  ズ−ム用モ−タ
２８  後固定枠
２８ｂ  基準面
３１  第３レンズ群
３３  フォ−カス用モ−タ
３５  シャッタユニット
４０  第１カム溝
４０ａ  一側カム面
４０ｂ  他側カム面
４１  第２カム溝
４１ａ  一側カム面
４１ｂ  他側カム面
７４  偏心ピン
９４  カム押動ピン
９５  カムスプリング
９６  撮像ユニット
１０１  撮像素子であるＣＣＤ
１０２  保持部材であるプレ−ト
１０５、１０６  弾性部材である板ばね
２５１  カム基体
２５１ａ  胴部
２５１ｂ  摺動部
２５１ｃ  摺動部
２５２  カム枠
２５３  カム枠
２５４  コイルばね
３５１  筒状基体
３５１ａ  挿入杆部
３５１ｂ  ピン孔
３５２  筒状基体
３５２ａ  孔部
【図１】
2005026790.tif 000003
【図２】
2005026790.tif 000004
【図３】
2005026790.tif 000005
【図４】
2005026790.tif 000006
【図５】
2005026790.tif 000007
【図６】
2005026790.tif 000008
【図７】
2005026790.tif 000009
【図８】
2005026790.tif 000010
【図９】
2005026790.tif 000011
【図１０】
2005026790.tif 000012
【図１１】
2005026790.tif 000013
【図１２】
2005026790.tif 000014
【図１３】
2005026790.tif 000015
【図１４】
2005026790.tif 000016
【図１５】
2005026790.tif 000017
【図１６】
2005026790.tif 000018
【図１７】
2005026790.tif 000019
【図１８】
2005026790.tif 000020
【図１９】
2005026790.tif 000021
【図２０】
2005026790.tif 000022
【図２１】
2005026790.tif 000023
【図２２】
2005026790.tif 000024
【図２３】
2005026790.tif 000025
【図２４】
2005026790.tif 000026
【図２５】
2005026790.tif 000027